(57)【要約】      （修正有）【課題】スパナをある程度以上に傾斜させて使用すると滑り止めの役目をするものが無いので、ナットとスパナが互いに滑りやすくなって外れるので危険である。ナットからのスパナ外れをなくし、早回しが出来るようにする。【解決手段】スパナ１の頭部５のナットや六角頭１３を挟むための狭持口６の奥壁の両側に円弧の長い溝の凹み部４、４’を形成する。凹み部を形成すると、必然的に頭部の上面と下面にナット押さえ部３、３’が形成される。また、先端部１６、１６’が鋭角になるように形成する。【選択図】図１
2006281431.tif 000002
【特許請求の範囲】
【請求項１】
スパナ頭部の中央部に多角形ナットの角が０個〜複数個入り込むような凹み部を形成したスパナ。
【請求項２】
頭部の両先端部を鋭角に成型した請求項１のスパナ。
【発明の詳細な説明】
【技術分野】
【０００１】  この発明は、機械、器具等の組み立てや分解するときに多角形の頭部を有する六角頭やボルト・ナットを回転操作で締め付け、又は、弛めるための、スパナに関する。
【背景技術】
【０００２】  在来型の普通スパナがある。
【発明の開示】
【発明が解決しようとする課題】
【０００３】  これには次のような欠点があった．
早回しが出来ない。
スパナをある程度以上に傾斜させて使用すると滑り止めの役目をするものが無いので、ナットとスパナが互いに滑りやすくなって外れるのできけんである。
スパナの旋回範囲内に障害物があるとスパナの差し変えをしなければならない。
片手操作でスパナを水平に使用している場合、スパナをナットに押し付けていなければ摩擦力が減少するのでナット側のスパナの頭部が滑り落ちて、外れてしまう。
ダブルナット作業の場合、上のスパナが下のナットの領域まで滑って下がってくると、スパナの狭持口の中に二個のナットが入るようになるので、作業が一瞬停滞し所定の位置までスパナを上げ直さなければならない。
本発明は、以上の欠点を解決したものである。
【課題を解決するための手段】
【０００４】  頭部（５）のナット（１１）や六角頭（１３）を挟むための狭持口（６）の奥壁の両側に円弧の長い溝の凹み部（４）と凹み部（４′）を形成する。
凹み部を形成すると、必然的に頭部（５）の上面にナット押さえ部（３）と、下面にナット押さえ部（３′）が形成される。
ナット押さえ部（３）とナット押さえ部（３′）は図５のように、スパナ（１）を水平から６０度位まで頻繁に角度を変えても１２０度の内角の六角頭（１３）の上の角（２０ｃ）と触れ合わないように１００度〜１１０度開いて形成する。
図８の様に在来型のスパナ（１）に角度をつけて六角頭（１３）を締め付けようとすると最初にワッシャ（１５）や機械、器具と接触する頭部（５）の先端部（１６）と先端部（１６′）が長すぎるから、滑り止めの役目をするナット押さえ部（３）やナット押さえ部（３′）を成形しても六角頭（１３）と高低差があり過ぎ、接触することが出来ないので、図１や図２のように各先端部（１６）と（１６′）を必要最小限に短くする。
頭部（５）を水平方向から見た図６のように先端部（１６）と先端部（１６′）が鋭角になるように形成する。
本発明は、以上のような構成よりなるスパナである。
【発明の効果】
【０００５】  本発明のスパナ（１）の頭部の反対端は、早回しのために、手のひらが痛くならないように、丸みのある、めがねスパナが望ましい。
スパナ（１）に３０度くらいの傾斜を付けてナット押さえ部（３）を六角頭（１３）の上面に重ね合わせて、スパナ（１）が六角頭（１３）から上方に離れないように、頭部（５）の方へ少し下向きの力を加えながら、締め付けの為の回転操作をする。
このようにすると裏面から見た図３のように、角（２０ｃ）は見えているが、角（２０ａ）は凹み部（４′）の中に在り、角（２０ｂ）は凹み部（４）の中に在って、頭部（５）の上面からも下面からも見えないが、上のナット押さえ部（３）は頭部（５）が下に滑り落ちないように防ぎ、下のナット押さえ部（３′）は斜め上方から力を加えられているので、頭部（５）は上方に滑り上がることはない。
スパナ（１）を六角頭（１３）の方向へ、軽い力を加えているだけで、上下に外れることがないので安定して連続回転させることができる。
スパナ（１）の近傍に障害物が有っても０〜４５度くらいの範囲でスパナ（１）を傾斜させて回転させればボルト（１２）の根元から角度にして４５度範囲より低いものであればスパナ（１）を差し変えすることなく早廻しすることができる。
慣れてくると、この時のスパナ（１）の回転速度は一回転０．５秒以上である。
スパナ（１）を回転させる速度を落として、注意しながら廻すとスパナ（１）の傾斜角度を５０度にしてもナット押さえ部（３）とボルト（１２）が滑り止めの役目をするので使用することができる。
ダブルナット作業の場合は、上のスパナ（１）に２〜３度以上〜５０度以下の角度を付けるとナット押さえ部（３）が上のナット（１１）の角（２０ａ）と角（２０ｂ）に接触し、上のスパナ（１）は下のナット（１１）の邪魔になるくらい下に下がることが出来ないので、一度に上下二個のナットが一本のスパナ（１）の狭持口（６）入ることはない。
スパナ（１）の角度が６０度になっても六角頭（１３）やナット（１１）の上部は面取りしてあるので、上のスパナ（１）の先端部（１６）や先端部（１６′）が下のナット（１１）に接触することはない。
ボルト（１２）の間隔が５センチで立っているときでも５．５センチの高さの障害物までスパナ（１）を差し替えることなく連続回転させながら使用できる。最後の締め付けの段階では、先端部が鋭角に整形されているので最後の締め切りまで先端部（１６）や先端部（１６′）が下の機械や器具に接触することはない。
緩めるときの左回転は特別な操作を必要とせず、そのまま左回転してもよい。
スパナ（１）に傾斜をつけて早廻ししてもよい。
作業の状況によりスパナ（１）を表裏反転させてもよい。
【発明を実施するための最良の形態】
【０００６】図６
以下、本発明の実施形態について説明する。
どのような大きさのサイズにも実施可能である。
例として、使用サイズが１３ミリメートルのスパナ（１）の頭部（５）の上面と下面にナット押さえ部（３）と、ナット押さえ部（３′）を形成し、その、挟まれた場所を円弧の溝の凹み部（４）と凹み部（４′）として鋳造段階で形成する。
先端部（１６）と先端部（１６′）を鋳造段階で形成する。
【図面の簡単な説明】
【０００７】
【図１】  六角頭に本発明のスパナのハンドルを４５度傾斜させて、ハンドルの一部を切り欠いた前面からの斜視図である。
【図２】  ボルト・ナットに本発明のスパナのハンドルを４５度傾斜させて、ハンドルの一部を切り欠いた斜視図である。
【図３】  本発明のスパナハンドルを４５度傾斜させて六角頭を締め付けるのを後面から見たハンドルの一部を切り欠いた斜視図である。
【図４】  六角頭の斜視図である。
【図５】  本発明のスパナのハンドルの一部を切り欠いた上面図である。
【図６】  本発明のスパナの頭部を図５のＡＡ線の断面図である。
【図７】  本発明のスパナを水平にして操作しているハンドルの一部を切り欠いた斜視図である。
【図８】  従来型のスパナを４５度傾斜させて六角頭を回転させているハンドルの一部を切り欠いた斜視図である。
【符号の説明】
【０００８】  １  スパナ
２  ハンドル
３  ナット押さえ部
３′  ナット押さえ部
４  凹み部
４′  凹み部
５  頭部
６  狭持口
１１  ナット
１２  ボルト
１３  六角頭
１５  ワッシャ
１６  先端部
１６′  先端部
２０ａ  角
２０ｂ  角
２０ｃ  角
２１ａ  角
２１ｂ  角
【図１】
2006281431.tif 000003
【図２】
2006281431.tif 000004
【図３】
2006281431.tif 000005
【図４】
2006281431.tif 000006
【図５】
2006281431.tif 000007
【図６】
2006281431.tif 000008
【図７】
2006281431.tif 000009
【図８】
2006281431.tif 000010